(57)【要約】【課題】  被検出装置に取り付けたときに、その取り付け角度の微調整を行わなくても、電子制御装置などで要求される検出出力を得ることができる角度検出装置を提供する。【解決手段】  角度検出装置を内燃機関のスロットルバルブなどの被検出装置に実装した状態で、被検出装置を動作させ、角度検出装置から検出下限値Ｖminと出力上限値Ｖmaxを得る。電子制御装置などが要求している検出希望下限値Ｖ１および検出希望上限値Ｖ２と、前記検出下限値Ｖminと出力上限値Ｖmaxとの差からオフセット補正量を求める。角度検出装置の出力に対し出力調整部においてオフセット量調整を行う。その結果、角度検出装置の取り付け角度の調整作業を行うことなく、常に電子制御装置が要求する検出出力を得ることができる。【選択図】図４
2007127518.tif 000002
【特許請求の範囲】
【請求項１】
磁界発生部材と、前記磁界発生部材から発せられる磁界の方向を検出できる磁気検知素子とを有し、前記磁界発生部材と前記磁気検知素子のいずれか一方が回転させられる回転センサーと、前記回転センサーの回転角度に対応した信号を出力する出力回路部とを有する角度検出装置において、
被検出装置に実装された前記回転センサーから得られる出力信号が、所定の動作角度範囲の一方の限界角度に至ったときに、前記出力回路部で得られた出力下限値を出力希望下限値に合わせるオフセット量調整と、前記動作角度範囲の他方の限界角度に至ったときに、前記出力回路部で得られた出力上限値を出力希望上限値に合わせるオフセット量調整の少なくとも一方を行う出力調整部が設けられていることを特徴とする角度検出装置。
【請求項２】
前記出力希望下限値と、前記出力希望上限値は、前記回転センサーが被検出装置に実装された状態で、被検出装置を制御する電子制御装置に与えられるべき出力値である請求項１記載の角度検出装置。
【請求項３】
前記出力希望下限値と前記出力希望上限値を保持する記憶部と、前記回転センサーが被検出装置に実装されたときに、前記出力下限値と前記出力希望下限値との差であるオフセット量と、前記出力上限値と前記出力希望上限値との差であるオフセット量の少なくとも一方を演算する制御部とが設けられ、前記オフセット量に基づいて前記出力調整部において前記オフセット量調整が行われる請求項１または２記載の角度検出装置。
【請求項４】
前記出力希望下限値と前記出力希望上限値および前記動作角度範囲から算出される感度補正値を保持する記憶手段が設けられており、
前記出力調整部では、被検出装置に実装されたときの、前記出力下限値から前記出力上限値に至る出力信号の変化率が、前記感度補正値によって補正される請求項１ないし３のいずれかに記載の角度検出装置。
【請求項５】
前記回転センサーが被検出装置に実装された状態で、回転センサーが前記動作角度範囲の一方の限界角度に設定されたとき、あるいは前記動作角度範囲の他方の限界角度に設定されたときに、クランプ操作を行う入力部が設けられており、クランプ操作されたときに出力回路部から得られている出力信号が、前記出力下限値または出力上限値とされて、前記オフセット量が算出される請求項１ないし４のいずれかに記載の角度検出装置。
【請求項６】
前記出力希望下限値と、前記出力希望上限値を保持する記憶手段が設けられており、前記出力希望下限値と前記出力希望上限値とから、前記回転センサーの動作角度範囲内における角度変化ごとの出力信号の変化率である感度補正値を演算する制御部が設けられており、出力制御部において、前記出力下限値から前記出力上限値に至る出力信号の変化率が、前記感度補正値によって補正される請求項１ないし３のいずれかに記載の角度検出装置。
【請求項７】
前記制御部で演算された前記感度補正値が、前記記憶手段に保持される請求項６記載の角度検出装置。
【請求項８】
前記磁気検知素子は、磁気抵抗効果を利用したものであり、直交する異なる方向からの磁界を検出できるように配置されている請求項１ないし７のいずれかに記載の角度検出装置。
【発明の詳細な説明】
【技術分野】
【０００１】
本発明は、回転角度を磁気により検出する角度検出装置に係り、特に、実際に被検出装置に実装したときに、その被検出装置の動作角度に対応した検出信号を最少の調整作業で得ることができる角度検出装置に関する。
【背景技術】
【０００２】
回転検出装置は、種々の被検出装置の動作角度の検出に使用される。特許文献１に記載のように、内燃機関では、スロットルバルブの開閉角度が角度検出装置により検出され、その角度検出情報が電子制御装置に与えられる。電子制御装置では、前記角度検出情報に基づいて、スロットルバルブの最適な開閉角度を算出し、電子制御装置によってスロットルバルブを開閉するモータなどが制御され、スロットルバルブが最適な開閉角度となるように設定される。
【０００３】
特許文献１に記載の発明では、前記角度検出装置が、基板に設けられた抵抗体と、スロットルバルブの開閉角度に応じて前記抵抗体上を摺動する摺動接点とを備えた可変抵抗器によって構成されている。
【０００４】
また、可変抵抗器以外の角度センサーとして、スロットルバルブなどの開閉動作に基づいて開閉させられる磁石と、磁石から発せられる磁界の方向を検出するホール素子を備えた磁気検出方式も使用されている。
【特許文献１】特開平７−２１７４５６号公報
【発明の開示】
【発明が解決しようとする課題】
【０００５】
図６は、特許文献１に記載のように、角度検出装置によってスロットルバルブなどの被検出装置の動作角度を検出する際の問題点を説明する参考図である。
【０００６】
スロットルバルブなどの被検出装置に角度検出装置を実装した場合、図６において実線で示すように、被検出装置の動作角度が、その使用角度範囲の最小角度αmin（例えばスロットルバルブのアイドリング動作時の開閉角度）となったときに、角度検出装置からその出力信号の下限値が出力され、その使用角度範囲の最大角度αmax（例えばスロットルバルブの最大開放角度）となったときに、角度検出装置からその出力信号の上限値が出力される。電子制御装置に、前記下限値から上限値までのいずれかの値の出力信号入力されることにより、電子制御装置において、被検出装置の動作状態を認識できるようになっている。そのため、前記最小角度αminのときに角度検出装置から得られる出力信号の下限値と、前記最大角度αmaxのときに角度検出装置から得られる出力信号の上限値とが、常に一定の値、例えば規定された一定の電圧値でなければならない。
【０００７】
しかし、実際に角度検出装置をスロットルバルブなどの被検出装置に実装したときには、角度検出装置の取り付け角度の誤差や、角度検出装置の製造上に不可避な構造上の誤差などによって、図６において破線で示すように、角度検出装置から得られる検出信号の使用角度範囲での最小値および最大値が、電子制御装置において要求されている前記下限値および前記上限値に一致できない場合が多くなる。そのため、角度検出装置を被検出装置に実装するときに、実際に検出信号を得てからその出力信号の最小値と前記下限値との差、出力信号の最大値と前記上限値との差を求め、その差が少なくなるように角度検出装置の取り付け角度を微調整する必要がある。
【０００８】
また、図６において破線で示すように、角度検出装置から得られる検出出力の最小値から最大値への変化率（単位角度の変化に対する検出信号の変化率）が、電子制御装置において要求される前記下限値から前記上限値までの信号の変化率（図６において実線で示す変化率）と異なることが多くなる。この場合、角度検出装置の検出信号の最小値を前記下限値に一致させたときに、検出信号の最大値と前記上限値とが一致しなくなる。そのため、検出信号の最小値と前記下限値との差、および検出信号の最大値と前記上限値との差の双方が最小となるように、角度検出装置の取り付け角度を調整することになる。しかし、この状態では、被検出装置が動作したときに、角度検出装置から得られる検出信号と、電子制御装置において本来要求されている出力値とが常に相違することになり、高精度な角度制御ができなくなる。
【０００９】
また、角度検出装置として、回転する磁石と、磁石の磁界の方向を検出するホール素子とを備えた磁気検出方式を使用した場合、ホール素子からの検出信号は、角度変化に対して直線的に変化せず、曲線的に変化する特性を有しているため、さらに、角度検出装置の取り付け角度の調整が難しくなる。
【００１０】
本発明は、上記従来の課題を解決するものであり、被検出装置に取り付けたときに、複雑な取り付け調整をすることなく、被検出装置の動作角度を高精度に検出できる角度検出装置を提供することを目的としている。
【課題を解決するための手段】
【００１１】
本発明は、磁界発生部材と、前記磁界発生部材から発せられる磁界の方向を検出できる磁気検知素子とを有し、前記磁界発生部材と前記磁気検知素子のいずれか一方が回転させられる回転センサーと、前記回転センサーの回転角度に対応した信号を出力する出力回路部とを有する角度検出装置において、
被検出装置に実装された前記回転センサーから得られる出力信号が、所定の動作角度範囲の一方の限界角度に至ったときに、前記出力回路部で得られた出力下限値を出力希望下限値に合わせるオフセット量調整と、前記動作角度範囲の他方の限界角度に至ったときに、前記出力回路部で得られた出力上限値を出力希望上限値に合わせるオフセット量調整の少なくとも一方を行う出力調整部が設けられていることを特徴とするものである。
【００１２】
本発明での前記出力希望下限値と、前記出力希望上限値は、前記回転センサーが被検出装置に実装された状態で、被検出装置を制御する電子制御装置に与えられるべき出力値である。
【００１３】
本発明の角度検出装置は、被検出装置に取り付けた状態で、被検出装置を動作させ、所定の動作角度範囲の限界において、出力回路部から出力される出力下限値と、出力上限値の少なくとも一方を、出力希望下限値または出力希望上限値に一致させるオフセット量調整が行われる。そのため、角度検出装置の取り付け角度を調整しなくても、被検出装置の所定の動作角度範囲の下限と上限の少なくとも一方において、被検出装置を制御する電子制御装置が要求している値の出力信号を得ることができる。
【００１４】
本発明は、前記出力希望下限値と前記出力希望上限値を保持する記憶部と、前記回転センサーが被検出装置に実装されたときに、前記出力下限値と前記出力希望下限値との差であるオフセット量と、前記出力上限値と前記出力希望上限値との差であるオフセット量の少なくとも一方を演算する制御部とが設けられ、前記オフセット量に基づいて前記出力調整部において前記オフセット量調整が行われるものである。
【００１５】
また、本発明は、好ましくは、前記出力希望下限値と前記出力希望上限値および前記動作角度範囲から算出される感度補正値を保持する記憶手段が設けられており、
前記出力調整部では、被検出装置に実装されたときの、前記出力下限値から前記出力上限値に至る出力信号の変化率が、前記感度補正値によって補正されるものである。
【００１６】
上記のように、記憶手段に感度補正値を保持して、出力回路部から得られる出力信号の角度変化に対する変化率を補正し、且つ出力下限値と出力上限値のいずれか一方のオフセット量を調整することにより、出力下限値と出力上限値の双方を、出力希望下限値と出力希望上限値に合わせることができる。
【００１７】
本発明は、前記回転センサーが被検出装置に実装された状態で、回転センサーが前記動作角度範囲の一方の限界角度に設定されたとき、あるいは前記動作角度範囲の他方の限界角度に設定されたときに、クランプ操作を行う入力部が設けられており、クランプ操作されたときに出力回路部から得られている出力信号が、前記出力下限値または出力上限値とされて、前記オフセット量が算出されるものとすることができる。
【００１８】
上記手段では、被検出装置を動作させて、所定の動作角度範囲の下限または上限となったときにクランプ操作を行うだけで、出力下限値と出力上限値の少なくとも一方を出力希望下限値や出力希望上限値に一致させることができ、角度検出装置の取り付け調整が不要になる。
【００１９】
また本発明は、前記出力希望下限値と、前記出力希望上限値を保持する記憶手段が設けられており、前記出力希望下限値と前記出力希望上限値とから、前記回転センサーの動作角度範囲内における角度変化ごとの出力信号の変化率である感度補正値を演算する制御部が設けられており、出力制御部において、前記出力下限値から前記出力上限値に至る出力信号の変化率が、前記感度補正値によって補正されるものにできる。
【００２０】
上記手段では、被検出装置を所定の動作角度範囲の限界位置に設定して、出力下限値と出力上限値を検出することにより、制御部において感度補正値が演算される。この感度補正値で出力信号の変化率が補正されるため、出力下限値と出力上限値の一方のみをオフセット量調整するだけ、出力下限値と出力上限値の双方を出力希望下限値と出力希望上限値に合わせることができる。
【００２１】
この場合も、前記制御部で演算された前記感度補正値が、前記記憶手段に保持されるものにできる。
【００２２】
また本発明は、好ましくは、前記磁気検知素子は、磁気抵抗効果を利用したものであり、直交する異なる方向からの磁界を検出できるように配置されているものである。
【００２３】
磁気検知素子として磁気抵抗効果を利用したものを使用することにより、出力回路部で得られる出力下限値から出力上限値までの変化率を一次関数または一次関数に近いものにできる。
【発明の効果】
【００２４】
本発明の角度検出装置は、被検出装置に取り付けられた状態で、複雑な調整作業を行うことなく、被検出装置の使用角度範囲に対応した正確な出力信号を得ることができる。
【発明を実施するための最良の形態】
【００２５】
図１は本発明の第１の実施の形態の角度検出装置に使用されている回転センサーの構造を示す正面図、図２は角度検出装置の回路ブロック図、図３は被検査装置の一例であるスロットルバルブに回転センサーが取り付けられた状態を示す説明図、図４は角度検出装置の動作説明図である。
【００２６】
図１に示す回転センサー１は、固定ベース２に、４つの基板３が取り付けられており、それぞれの基板３に磁気検知素子が２個ずつ設けられている。図１では、それぞれの磁気検知素子がＳ１，Ｓ２，Ｓ３，Ｓ４，Ｓ５，Ｓ６，Ｓ７，Ｓ８で示されている。磁気検知素子はＳ１とＳ２が対を成して同じ基板３に設けられ、Ｓ３とＳ４、Ｓ５とＳ６、Ｓ７とＳ８が、それぞれ対を成して同じ基板３に設けられている。
【００２７】
磁気検知素子は全て同じ構造であるため、Ｓ１を代表させてその構造を説明する。磁気検知素子Ｓ１は、巨大磁気抵抗効果は利用したものであり、基板３上に薄膜で形成されている。磁気検知素子Ｓ１は、検出部４とこの検出部４の両側に設けられた電極部５を有している。検出部４は、固定磁性層とフリー磁性層とが積層されたものである。固定磁性層は、Ｃｏ・Ｆｅ合金（コバルト・鉄合金）やＮｉ・Ｆｅ合金（ニッケル・鉄合金）などの強磁性層で形成されており、この固定磁性層は、Ｐｔ・Ｍｎ合金（白金・マンガン合金）やＩｒ・Ｍｎ合金（イリジウム・マンガン合金）などで形成された反強磁性層に積層されている。反強磁性層と固定磁性層との交換結合磁界により、固定磁性層の磁化方向は一定方向に固定されている。フリー磁性層はＮｉ・Ｆｅ合金などの強磁性層で形成されており、このフリー磁性層と前記固定磁性層は、Ｃｕ層（銅層）などの非磁性材材料層を挟んで積層されている。
【００２８】
磁気検知素子Ｓ１は、フリー磁性層の磁化方向が、外部から与えられる磁界（外部磁界Ｈ）に反応し、フリー磁性層の磁化方向は外部磁界Ｈの方向へ向けられる。フリー磁性層の磁化方向が固定磁性層の固定磁化方向と同じ向きとなったときに、電気抵抗値が最小となり、フリー磁性層の磁化方向が固定磁性層の固定磁化方向と逆向きの方向となったときに電気抵抗値が最大となる。
【００２９】
図１では、各磁気検知素子Ｓ１ないしＳ８の前記固定磁性層の磁化の固定方向を矢印Ｐで示している。磁気検知素子Ｓ１とＳ２の固定磁性層の磁化の固定方向は＋Ｙ方向、磁気検知素子Ｓ３とＳ４の固定磁性層の磁化の固定方向は−Ｙ方向、磁気検知素子Ｓ５とＳ６の固定磁性層の磁化の固定方向は＋Ｘ方向、磁気検知素子Ｓ７とＳ８の固定磁性層の磁化の固定方向は−Ｘ方向である。なお、Ｘ方向とＹ方向は互いに直交する座標を意味している。
【００３０】
固定ベース２の全ての磁気検知素子Ｓ１ないしＳ８の配列中心には軸７が設けられ、回転部材８がこの軸７を中心に回転できるようになっている。回転部材８には、磁界発生部材である第１の磁石Ｍ１と第２の磁石Ｍ２が固定されている。第１の磁石Ｍ１は、前記軸７に対向する内面がＮ極に着磁されており、第２の磁石Ｍ２は、前記軸７に対向する内面がＳ極に着磁されている。よって、第１の磁石Ｍ１から第２の磁石Ｍ２に向けて磁界Ｈが形成され、この磁界Ｈは、全ての磁気検知素子Ｓ１ないしＳ８に対して同じ方向で横断できるようになっている。
【００３１】
この回転センサー１は、固定ベース２が固定され、回転部材８が被検出装置の回転部に取り付けられ、被検出装置の動作角度に追従して、回転部材８が回転する。そして、固定ベース２と回転部材８との相対角度が変化し、各磁気検知素子Ｓ１ないしＳ８に対する磁界Ｈの横断方向が変化する。回転部材８が図１に示す回転位相のときには、第１の磁石Ｍ１から第２の磁石Ｍ２に向けて、磁界Ｈが−Ｘ方向へ与えられる。このとき、磁気検知素子Ｓ７とＳ８の電気抵抗値が最小で、磁気検知素子Ｓ５とＳ６の電気抵抗値が最大となる。また、磁気検知素子Ｓ１とＳ２の電気抵抗値は、最小値と最大値の中間の値となり、磁気検知素子Ｓ３とＳ４の電気抵抗値も、最小値と最大値の中間の値となる。
【００３２】
また、回転部材８が図１の回転位相から時計方向へ９０度回転すると、第１の磁石Ｍ１から第２の磁石Ｍ２に向けて、磁界Ｈが＋Ｙ方向へ与えられる。このとき、磁気検知素子Ｓ１とＳ２の電気抵抗値が最小で、磁気検知素子Ｓ３とＳ４の電気抵抗値が最大となる。また、磁気検知素子Ｓ５とＳ６の電気抵抗値は、最小値と最大値の中間の値となり、磁気検知素子Ｓ７とＳ８の電気抵抗値も、最小値と最大値の中間の値となる。
【００３３】
図２に示すように、固定磁性層の磁化の固定方向が１８０度相違している磁気検知素子Ｓ１とＳ４とが直列に接続され、同じく磁化の固定方向が１８０度相違している磁気検知素子Ｓ３とＳ２が直列に接続されており、磁気検知素子Ｓ１おおびＳ３が電源電圧Ｖｃｃに接続され、磁気検知素子Ｓ４とＳ２が接地側に位置している。また、固定磁性層の磁化の固定方向が１８０度相違している磁気検知素子Ｓ５とＳ８が直列に接続され、同じく磁化の固定方向が１８０度相違している磁気検知素子Ｓ７とＳ６が直列に接続されている。そして、磁気検知素子Ｓ５とＳ７が電源電圧Ｖｃｃに接続され、磁気検知素子Ｓ８とＳ６が接地側に位置している。
【００３４】
磁気検知素子Ｓ３と磁気検知素子Ｓ２の中間点に接続された中間ライン１１では、回転センサー１の回転部材８の回転動作に伴なって三角関数の変化となる、あるいは三角関数に近似した変化となる検出信号が電圧値として出力される。図２では、中間ライン１１の検出信号の電圧変化を「＋ｓｉｎθ」と定義している。磁気検知素子Ｓ１と磁気検知素子Ｓ４との中間点に接続された中間ライン１２では、前記中間ラインと位相が１８０度相違した検出信号が電圧変化として得られる。図２では、中間ライン１２の検出信号の電圧変化を「−ｓｉｎθ」と定義している。磁気検知素子Ｓ７と磁気検知素子Ｓ６との中間点に接続された中間ライン１３からは、前記中間ライン１１の電圧変化に対して位相が９０度相違する電圧変化が得られる。図２では、中間ライン１３の検出信号の電圧変化を「＋ｃｏｓθ」と定義している。また、磁気検知素子Ｓ５と磁気検知素子Ｓ８との中間点に接続された中間ライン１４からの出力信号の電圧変化を「−ｃｏｓθ」と定義している。
【００３５】
各中間ライン１１，１２，１３，１４で得られた検出信号は出力回路部２０に与えられる。出力回路部２０には、差動増幅器２１と２２が設けられ、差動増幅器２１からの出力信号はＡ／Ｄ変換部（アナログ／ディジタル変換部）２３に与えられ、差動増幅器２２からの出力信号はＡ／Ｄ変換部２４に与えられる。差動増幅器２１では、前記中間ライン１１の出力信号と中間ライン１２の出力信号の差が求められる。よって、差動増幅器２１からの出力信号も三角関数の変化、または三角関数に近似した変化となる。図２では、差動増幅器２１からの出力信号での電圧変化を「２・ｓｉｎθ」と定義している。また、差動増幅器２２では、中間ライン１３の出力信号と中間ライン１４の出力信号との差が求められ、「２・ｃｏｓθ」で定義できる出力信号が得られる。
【００３６】
差動増幅器２１からの出力信号はＡ／Ｄ変換部２３でディジタル信号に変換されて演算部２５に与えられ、差動増幅器２２からの出力信号はＡ／Ｄ変換部２４でディジタル信号に変換されて演算部２５に与えられる。演算部２５では、Ａ／Ｄ変換された「ｓｉｎθ」の関数と「ｃｏｓθ」の関数とが、ＣＯＲＤＩＣアルゴリズムにより演算され、逆三角関数である「ａｒｃ  ｔａｎ」関数が算出される。演算部２５で演算された関数は、出力調整部２６を経て、Ｄ／Ａ変換部（ディジタル／アナログ変換部）２７においてアナログ値に変換され、電圧値として出力される。
【００３７】
演算部２５において「ａｒｃ  ｔａｎ」関数が演算されることにより、Ｄ／Ａ変換部２７からの出力電圧は、回転センサー１の回転部材８が１回転する間に、その角度変化に対して比例的に変化する電圧、すなわち角度変化に対して一次関数で変化する電圧、または一次関数に近似して変化する電圧となる。
【００３８】
出力回路部２０に設けられている出力調整部２６は、演算部２５で演算された一次関数または一次関数に近似した変化の信号のレベルおよび感度を調整するものであり、その調整は、制御部３０による演算結果によって制御される。制御部３０には、記憶手段である書き込みと読み出しが可能なメモリ（ＲＡＭ）３１が接続されており、また制御部３０は、クランプ操作信号を入力するために入力部３２からのアクセスが可能となっている。
【００３９】
図３は、前記回転センサー１が、被検出装置の一例である内燃機関のスロットルバルブ４０に取り付けられた状態を示している。
【００４０】
スロットルバルブ４０は、回動軸４２とこの回動軸４２に固定された弁４３を有しており、弁４３によって、燃料と空気とが混合された混合気の吸気路４１を開閉するものである。自動車の原動機として搭載される内燃機関の場合には、機関が動作しているときに、弁４３が最小開放角度αminとなったときにアイドリング状態となる。また、弁４３の最大開放角度αmaxは、８５度程度であり、このときフルスロットル状態となる。また、回動軸４２はモータの動力により回動させられる。
【００４１】
前記スロットルバルブ４０は、マイクロコンピュータを備えた電子制御装置によって制御される。運転者が操作するアクセルペダルの操作角度は角度検出装置によって検出され、その操作角度が電子制御装置に認識される。そして、電子制御装置からの指令により前記モータが制御されて回動軸４２が回動させられ、弁４３の開放角度が設定される。このときの弁の開放角度が回転センサー１によって検出される。すなわち、図１に示す回転センサー１の回転部材８が、前記回動軸４２に連結されており、弁４３の開放角度に応じて、回転部材８の回転位相が決められる。そして、出力回路部２０のＤ／Ａ変換部２７から、回転部材８の回転角度すなわち弁４３の開放角度が電圧値として出力され、この出力電圧値が前記電子制御装置に与えられる。
【００４２】
電子制御装置では、アクセルペダルの操作角度の検出出力と、前記出力回路部２０から得られる電圧値に基づいて、燃料の燃焼効率の良い弁４３の開放角度が算出され、弁４３の開放角度が最適な値となるように制御される。
【００４３】
前記電子制御装置によって弁４３の角度を高精度に制御するためには、出力回路部２０のＤ／Ａ変換部２７から、弁４３の開放角度に対応した正確な電圧値が出力されることが必要である。すなわち、アイドリング時に弁４３が最小開放角度αminに設定されている場合には、予め決められた電圧Ｖ１が出力されて電子制御装置に与えられる必要があり、弁４３が最大開放角度αmaxに設定されているときには、予め決められた電圧Ｖ２が出力されて電子制御装置に与えられなくてはならない。前記電圧Ｖ１が、電子制御装置が要求する弁４３の開放角度αminに対応する出力希望下限値であり、前記電圧Ｖ２が弁４３の開放角度αmaxに対応する出力希望上限値である。
【００４４】
弁４３の開放角度が前記最小開放角度αminのときに、出力回路部２０から前記出力希望下限値Ｖ１を出力でき、弁４３の開放角度が前記最大開放角度αmaxのときに、出力回路部２０から前記出力希望上限値Ｖ２を出力できるようにするために、従来は、回転センサー１の取り付け角度を調整する必要があった。この調整は、回動軸４２に回転センサー１を取り付けた後に、弁４３を最小開放角度αminや最大開放角度αmaxに設定して、そのときに角度検出装置から得られる出力電圧と、前記出力希望下限値Ｖ1または出力希望上限値Ｖ２との差を目安にして、回動軸４２に対する回転センサー１の取り付け角度を変化させる。
【００４５】
しかし、本発明の実施の形態の角度検出装置では、図３に示す被検出装置であるスロットルバルブに回転センサー１が取り付けられた状態で、細かな取り付け角度調整を行うことなく、出力回路部２０のＤ／Ａ変換部２７から、電子制御装置に対し、前記出力希望下限値Ｖ１と出力希望上限値Ｖ２またはこれら値にきわめて近似した出力信号を与えることができる。
【００４６】
図４で実線で示すＸ０軸とＹ０軸の直交座標は、角度検出装置から出力される電圧の変化特性を示している。Ｘ０軸は回転センサー１の回転部材８の回転角度（度）を示しており、Ｙ０軸は、Ｄ／Ａ変換部２７からの出力電圧を示している。回転センサー１の回転部材８を回転させると、その回転角度が０度から３６０度の回転範囲では、Ｄ／Ａ変換部２７からの出力電圧は、角度変化に対して一次関数または一次関数に近似した直線Ｌ１に沿って変化する。また３６０度から７２０度の回転範囲では、前記直線Ｌ１と同じ傾きの直線Ｌ２に沿って出力電圧が変化する。
【００４７】
図４で鎖線で示すＸ１軸とＹ１軸の直交座標は、角度検出装置の回転センサー１がスロットルバルブ４０の回動軸４２に実際に取り付けられた状態を示しており、弁４３が最小開放角度αminのときにＤ／Ａ変換部２７から出力される検出下限値をＶminで示し、弁４３が最大開放角度αmaxのときにＤ／Ａ変換部２７から出力される検出上限値をＶmaxで示している。
【００４８】
図４では、角度検出装置の実装状態を示しているＸ１−Ｙ１座標が、Ｘ０−Ｘ０座標と位置ずれており、この位置ずれは、回動軸４２に対する回転センサー１の取り付け角度のずれ量を意味している。角度検出装置が回転センサー１に対して理想的な取り付け位置からずれている結果、弁４３が最小開放角度αminのときの検出下限値Ｖminが、電子制御装置に入力されるべき出力希望下限値Ｖ１から外れており、弁４３が最大開放角度αmaxのときの検出上限値Ｖmaxが、電子制御装置に入力されるべき出力希望上限値Ｖ２から外れている。
【００４９】
このように当然想定されるべき回転センサー１の取り付け角度のずれに対応するために、制御部３０では次のような制御を行って、出力制御部２６において、演算部２５で演算された「ａｒｃ  ｔａｎ」関数の出力信号を調整している。
【００５０】
まず、メモリ３１内に、予め電子制御装置に入力されるべき出力希望下限値Ｖ１と、出力希望上限値Ｖ２を書き込んで保持しておく。さらに、メモリ３１内に、感度（ゲイン）補正値を書き込んで保持しておく。この感度補正値とは、回転センサー１の使用角度範囲（αmax−αmin）と出力希望下限値Ｖ１および出力希望上限値Ｖ２から求めされるものであり、（Ｖ２−Ｖ１）／（αmax−αmin）で求められる単位角度の変化に対応する出力電圧の変化率である。この感度補正値は、予め算出して、入力部３２の操作によって書き込まれる。
【００５１】
制御部３０では、前記感度補正値に基づいて出力調整部２６へ補正信号を与え、出力調整部２６では、演算部２５から得られる「ａｒｃ  ｔａｎ」関数の変化出力のゲインを前記感度補正値に基づいて調整する。その結果、図４に示すように、Ｄ／Ａ変換部２７から出力される電圧の角度変化に対応する変化率が、（Ｖ２−Ｖ１）／（αmax−αmin）に一致した角度β１に設定される。
【００５２】
前記のように、出力制御部２６において、前記感度補正値により感度補正がされる角度検出装置が、スロットルバルブ４０に取り付けられた状態で、実際に内燃機関を動作させる。そして、アイドリングに最適な弁４３の最小開放角度αminが設定されたときに、入力部３２を操作して、制御部３０にクランプ信号を与える。制御部３０では、クランプ信号が入力されたときに演算部２５から出力されている信号である検出下限値Ｖminを検出し、この検出下限値Ｖminをメモリ３１に書き込む。さらに実際に内燃機関を動作させ、弁４３の解放角度をフルスロットルでしかも燃費効率を考慮した最適な最大開放角度αmaxに設定し、このときに入力部３２を操作して制御部３０にクランプ信号を与える。制御部３０では、クランプ信号が入力されたときに、演算部２５から出力されている検出上限値Ｖmaxを検出し、この検出上限値Ｖmaxをメモリ３１に書き込む。
【００５３】
制御部３０では、メモリ３１にクランプされて保持された検出下限値Ｖminと出力上限値Ｖmax、および出力希望下限値Ｖ１と出力希望上限値Ｖ２からオフセット量を算出し、このオフセット量の算出値をメモリ３１に書き込む。
【００５４】
オフセット量は、検出下限値Ｖminと出力希望下限値Ｖ１との差のみから求めることができ、あるいは検出上限値Ｖmaxと出力希望上限値Ｖ２との差のみから求めることもできる。あるいは、検出下限値Ｖminと出力希望下限値Ｖ１との差と、検出上限値Ｖmaxと出力希望上限値Ｖ２との差との平均値などで求めることもできる。なお、オフセット量を、検出下限値Ｖminと出力希望下限値Ｖ１との差のみから求める場合には、検出上限値Ｖmaxをメモリ３１に書き込むクランプ入力操作は必ずしも必要ではなく、オフセット量を検出上限値Ｖmaxと出力希望上限値Ｖ２との差のみから求める場合にも、検出下限値Ｖminをメモリ３１に書き込むクランプ入力操作は必ずしも必要ではない。
【００５５】
前記入力部３２によって前記クランプ入力操作を行い、制御部３０においてオフセット量が算出されてメモリ３１に保持された後は、弁４３が回動し回転センサー１の回転部材８が回転させられると、その出力信号が演算部２５で演算され、さらに出力調整部２６において、感度補正値に基づくゲイン調整と、オフセット量に基づくオフセット補正が行われる。したがって、弁４３が最小開放角度αminのときには、Ｄ／Ａ変換部２７から、電子制御装置において要求される出力希望下限値Ｖ１が出力され、弁４３が最大開放角度αmaxのときには、Ｄ／Ａ変換部２７から、電子制御装置において要求される出力希望上限値Ｖ２が出力される。
【００５６】
また、回転センサー１に用いられている磁気検知素子Ｓ１ないしＳ８は、磁気抵抗効果を利用した素子であり、直交する２方向からの磁界を検出可能なように組み合わされたものであるため、演算部２５からは、角度変化に対してほぼ一次関数的に変化する「ａｒｃ  ｔａｎ」関数の出力値が得られる。したがって、弁４３の開放角度がαminとαmaxの中間角度に設定されているときでも、その角度を正確に検出した出力信号を得ることができる。
【００５７】
次に、図５は本発明の第２の実施の形態の角度検出装置の動作を示すものである。
図４に示した第１の実施の形態の角度検出装置の動作では、感度（ゲイン）補正値が予め入力部３２から入力されるなどしてメモリ３１に保持されており、角度検出装置がスロットルバルブ４０に実装された時点で、出力調整部２６から感度補正（出力変化の傾き補正）が行われた後の出力が得られ、検出下限値Ｖminが得られたとき、および／または検出上限値Ｖmaxが得られたときに入力部３２を操作して制御部３０にクランプ信号を入力し、その後にオフセット量を算出するものである。
【００５８】
これに対し、図５に示す第２の実施の形態の角度検出装置は、予めメモリ３１に、出力希望下限値Ｖ１と、出力希望上限値Ｖ２が書き込まれているが、感度補正値とオフセット補正値の双方はメモリ３１に書き込まれていない。したがって、被検出装置であるスロットルバルブに角度検出装置が実装された直後においては、演算部２５からの出力信号が、出力調整部２６で調整されない。
【００５９】
そのため、弁４３を最小開放角度αminに設定したときに得られる検出下限値Ｖminが出力希望下限値Ｖ１に一致しておらず、弁４３を最大開放角度αmaxに設定したときの検出上限値Ｖmaxが、出力希望上限値Ｖ２に一致していないだけでなく、角度検出装置からの出力感度（単位角度の変化に対応する出力の変化率：図５の直線Ｌａの傾き角度β２）と、電子制御装置に入力されるべき信号の出力感度（希望出力感度：図５の傾き角度β３）とが一致していない。
【００６０】
この場合においても、角度検出装置をスロットルバルブ４０に実装した後に、内燃機関を実際に動作させて、弁４３を最小開放角度αminに設定したときに、入力部３２を操作して制御部３０にクランプ信号を与え、このときに演算部２５から得られる検出下限値Ｖminをメモリ３１に書き込む。また弁４３を最大開放角度αmaxに設定したときに、入力部３２を操作して制御部３０にクランプ信号を与え、このときに演算部２５から得られる検出上限値Ｖmaxをメモリ３１に書き込む。
【００６１】
制御部３０では、書き込まれた検出下限値Ｖminと、検出上限値Ｖmaxと、さらに出力希望下限値Ｖ１と出力希望上限値Ｖ２とから、現状の出力信号の感度（角度β２）と、電子制御装置に入力されるべき出力信号の感度｛角度β３：（Ｖ２−Ｖ１）／（αmax−αmin）｝との差を求め、現状の出力信号の感度を、電子制御装置に入力されるべき出力信号の感度に補正するための感度（ゲイン）補正値を演算して、その算出値をメモリ３１に書き込む。
【００６２】
さらに、制御部３０では、検出下限値Ｖminと、出力希望下限値Ｖ１などから、第１の実施の形態と同様にオフセット量を求め、メモリ３１に書き込む。
【００６３】
そして、その後は、演算部２５から出力される出力信号に対し、出力調整部２６において、メモリ３１に保持されている感度補正値とオフセット量補正値を基にして、感度補正とオフセット量補正がなされて、Ｄ／Ａ変換部２７から出力される。
【００６４】
この第２の実施の形態では、出力希望下限値Ｖ１と出力希望上限値Ｖ２をメモリに書き込み、角度検出装置が被検出装置に実装された後に、少なくとも２つの出力を得たときに入力部３２を操作してクランプ信号を制御部３０に与えるのみで、その後は、角度検出装置から、電子制御装置に入力されるべき出力信号を得ることができる。
【００６５】
なお、前記実施の形態では、被検出装置が内燃機関のスロットルバルブである場合を説明したが、本発明の角度検出装置は、自動車のアクセルペダルの操作角度検出、または自動車のステアリングホイールの回転角度の検出、自動車内のシートの設定位置の角度検出などに適用することができる。
【００６６】
いずれによせ、被検出装置に角度検出装置を取り付けたときに、微妙な取り付け調整を行うことが不要であり、実際に被検出装置を動作させて、入力部３２でクランプ操作を行うのみで、角度検出装置から、被検出装置の動作角度に対応した正確な出力値を得て、電子制御装置に与えることができる。
【００６７】
また、検出下限値Ｖminと検出上限値Ｖmaxは、かならずしもスロットルバルブなどの被検出装置の使用角度範囲での上限と下限に限定されるものではなく、例えば、スロットルバルブなどの被検出装置の動作角度の最小値αminと最大値αmaxの途中の動作角度範囲を検出範囲として設定し、その検出範囲での出力の下限値を検出下限値Ｖminとし、検出上限値をＶmaxとし、それに相当する出力を出力希望下限値Ｖ１および出力希望上限値Ｖ２としてもよい。
【００６８】
また、回転センサー１は、磁石Ｍ１とＭ２を有する側を固定側とし、磁気検知素子Ｓ１ないしＳ８を有する側を回転側として用いてもよい。
【図面の簡単な説明】
【００６９】
【図１】本発明の第１の実施の形態の角度検出装置に設けられた回転センサーを示す正面図、
【図２】角度検出装置の回路ブロック図、
【図３】角度検出装置が取り付けられたスロットルバルブの説明図、
【図４】第１の実施の形態の角度検出装置の動作説明図、
【図５】本発明の第２の実施の形態の角度検出装置の動作説明図、
【図６】従来の角度検出装置の問題点の説明図、
【符号の説明】
【００７０】
１  回転センサー
２  固定ベース
３  基板
４  検出部
５  電極部
８  回転部材
１１，１２，１３，１４  中間ライン
２０  出力回路部
２１，２２  差動増幅器
２３，２４  Ａ／Ｄ変換部
２５  演算部
２６  出力調整部
２７  Ｄ／Ａ変換部
３０  制御部
３１  メモリ
３２  入力部
Ｓ１ないしＳ８  磁気検知素子
Ｍ１  第１の磁石
Ｍ２  第２の磁石
【図１】
2007127518.tif 000003
【図２】
2007127518.tif 000004
【図３】
2007127518.tif 000005
【図４】
2007127518.tif 000006
【図５】
2007127518.tif 000007
【図６】
2007127518.tif 000008